(57)【要約】【課題】部品点数を増加させることなく、取付方向を間違えずに操作ボタン識別部材を取り付けることが可能なディスクプレーヤ内蔵テレビジョンおよび電子機器を提供する。【解決手段】フロント筐体４０に一体的に設けられた電源ボタン５０に嵌め込まれた電源ボタン識別部材６０を備えたディスクプレーヤ内蔵テレビジョン１において、電源ボタン識別部材６０は、識別面６１の裏面に突出する、先端に爪部６２ａを有する一対のフック部６２と、識別面６１の裏面の中心から下方にずれた位置から突出する、電源ボタン識別部材６０に一体的に設けられたボス部６３とを含む。また、電源ボタン５０は、識別面６１の外周面と一致する内周面を有する凹部５１と、凹部５１の底面に設けられたフック部挿入孔５２と連続して設けられたボス部挿入孔５３と、フック部挿入孔５２の内面から奥に向かって延びる、爪部６２ａと係合する一対のリブ状の係合部５４とを含んでいる。【選択図】図１０
0003104909.tif 000002
【実用新案登録請求の範囲】
【請求項１】
機器の前面を覆う樹脂製のフロント筐体と、前記フロント筐体に一体的に設けられ、前記機器の電源のオンオフ操作を行うための樹脂製の電源ボタンと、前記電源ボタンの所定の位置に嵌め込まれ、前記電源ボタンと他のボタンとを識別するための着色を施された樹脂製の電源ボタン識別部材とを備えたディスクプレーヤ内蔵テレビジョンにおいて、
前記樹脂製の電源ボタン識別部材は、
前記フロント筐体の前面側に位置するように設けられた楕円形状の識別面と、
前記識別面の裏面に所定の間隔を隔てて突出するように設けられ、先端にカギ状の爪部を有する一対のフック部と、
前記識別面の裏面の水平方向の中心線から下方に所定の距離ずれた位置から突出するように、前記電源ボタン識別部材に一体的に設けられ、前記電源ボタン識別部材の前記電源ボタンに対する取付方向を規制するためのボス部とを含み、
前記樹脂製の電源ボタンは、
前記電源ボタン識別部材が嵌め込まれるとともに、前記電源ボタン識別部材の前記識別面の外周面と実質的に一致する内周面を有する前記電源ボタン識別部材の前記電源ボタンに対する取付位置を規制するための凹部と、
前記凹部の底面に設けられ、前記電源ボタン識別部材の一対のフック部が挿入されるフック部挿入孔と、
前記フック部挿入孔と連続するとともに、前記電源ボタン識別部材のボス部の横幅よりも大きい横幅を有するように形成され、前記ボス部が挿入されるボス部挿入孔と、
前記フック部挿入孔の内面の所定の位置から奥側に向かって延びるように前記電源ボタンの裏面に一体的に設けられ、前記一対のフック部の爪部と係合する一対のリブ状の係合部とを含む、ディスクプレーヤ内蔵テレビジョン。
【請求項２】
機器の前面を覆うフロント筐体と、前記フロント筐体に一体的に設けられ、前記機器の操作を行うための操作ボタンと、前記操作ボタンの所定の位置に取り付けられ、前記操作ボタンと他のボタンとを識別するための操作ボタン識別部材とを備え、
前記操作ボタン識別部材は、前記フロント筐体の前面側に位置するように設けられた識別面と、前記識別面の裏面の中心からずれた位置から突出するように、前記操作ボタン識別部材に一体的に設けられ、前記操作ボタン識別部材の前記操作ボタンに対する取付方向を規制するためのボス部とを含み、
前記操作ボタンは、前記操作ボタン識別部材のボス部が挿入されるボス部挿入孔を含む、電子機器。
【請求項３】
前記ボス部挿入孔は、前記操作ボタン識別部材のボス部の横幅よりも大きい横幅を有するように形成されている、請求項２に記載の電子機器。
【請求項４】
前記操作ボタン識別部材は、前記識別面の裏面に所定の間隔を隔てて突出するように設けられ、先端にカギ状の爪部を有する一対のフック部をさらに含み、
前記操作ボタンは、前記操作ボタン識別部材の一対のフック部が挿入されるフック部挿入孔と、前記フック部挿入孔の内面の所定の位置から奥側に向かって延びるように前記操作ボタンの裏面に一体的に設けられ、前記一対のフック部の爪部と係合する一対のフック係合部とをさらに含む、請求項２または３のいずれか１項に記載の電子機器。
【請求項５】
前記一対のフック係合部は、一対のリブ状の係合部を含む、請求項２〜４のいずれか１項に記載の電子機器。
【請求項６】
前記操作ボタンは、前記操作ボタン識別部材が嵌め込まれ、前記操作ボタン識別部材の前記操作ボタンに対する取付位置を規制するための凹部をさらに含む、請求項２〜５のい
ずれか１項に記載の電子機器。
【考案の詳細な説明】
【技術分野】
【０００１】
本考案は、ディスクプレーヤ内蔵テレビジョンおよび電子機器に関し、特に、電源ボタンなどの操作ボタンを含むディスクプレーヤ内蔵テレビジョンおよび電子機器に関する。
【背景技術】
【０００２】
従来、電源ボタンなどの操作ボタンを含むディスクプレーヤ内蔵テレビジョンなどの電子機器が知られている。このような電子機器において、電源ボタンと他のボタンとを識別するための着色を施された電源ボタン識別部材が電源ボタンに装着される場合がある。この場合、従来では、電源ボタン識別部材の電源ボタンに対する取付方向を上下逆に間違えて取り付けてしまう場合があるという不都合があった。
【０００３】
ところで、従来では、各種部材の取付方向を間違えることなく取り付けることが可能な構造が種々提案されている（たとえば、特許文献１および特許文献２参照）。
【０００４】
上記特許文献１には、押ボタンスイッチの本体に設けられた溝と、中心からずれた位置に設けられた押ボタンスイッチを挿入する孔およびその孔の内周面に設けられた押ボタンスイッチ本体の溝と係合する爪を含むカム板と、スイッチ取付板の裏面に設けられたカム板を嵌め込む凹部と、凹部の中心からずれた位置に設けられた押ボタンスイッチを挿入する孔とを備えた従来の第１の例による構造が開示されている。この特許文献１に開示された構造では、スイッチ取付板の凹部とカム板とに設けられた押ボタンスイッチを挿入する孔がそれぞれの中心からずれた同じ位置に設けられているので、押ボタンスイッチを孔に挿入するとともに、押ボタンスイッチの溝とカム板の爪とを係合させることにより、押ボタンスイッチが回転するのが防止される。これによって、スイッチ取付板に対する押ボタンスイッチの取付方向がずれるのが防止される。
【０００５】
また、上記特許文献２には、発光ダイオードを支持するホルダにボスを設けるとともに、フロントパネルにホルダのボスが嵌め込まれる穴を設けた従来の第２の例による構造が開示されている。この特許文献２に開示された構造では、フロントパネルの穴に、発光ダイオードを支持するホルダのボスを挿入することにより、フロントパネルに対する発光ダイオードの位置決めをすることができる。これにより、発光ダイオードが誤った取付方向に取り付けられるのが防止される。
【０００６】
上記した特許文献１または２の部材の取付構造を、上記した従来の電源ボタン識別部材の電源ボタンに対する取付構造に適用すれば、電源ボタン識別部材の取付方向が上下逆に取り付けられるのを防止することが可能になる。
【特許文献１】実開平３−１２１６３３号公報
【特許文献２】実開昭５５−１４５０６３号公報
【考案の開示】
【考案が解決しようとする課題】
【０００７】
しかしながら、上記特許文献１では、スイッチ取付板に対する押ボタンスイッチの取付方向がずれるのを防ぐための構造を得るために、別途、カム板を設ける必要があるため、部品点数が増加するという問題点がある。また、上記特許文献２では、フロントパネルに対する発光ダイオードの位置決めをするための構造を得るために、別途、ボスを有したホルダを設ける必要があるため、上記特許文献１と同様、部品点数が増加するという問題点がある。したがって、上記特許文献１または２の構造を、電源ボタン識別部材の電源ボタンに対する取付構造に適用した場合にも、部品点数が増加するという問題点がある。
【０００８】
この考案は、上記のような課題を解決するためになされたものであり、部品点数を増加させることなく、取付方向を間違えずに電源ボタン識別部材（操作ボタン識別部材）を取り付けることが可能なディスクプレーヤ内蔵テレビジョンおよび電子機器を提供することを目的とする。
【課題を解決するための手段および考案の効果】
【０００９】
この考案の第１の局面によるディスクプレーヤ内蔵テレビジョンは、機器の前面を覆う樹脂製のフロント筐体と、フロント筐体に一体的に設けられ、機器の電源のオンオフ操作を行うための樹脂製の電源ボタンと、電源ボタンの所定の位置に嵌め込まれ、電源ボタンと他のボタンとを識別するための着色を施された樹脂製の電源ボタン識別部材とを備えたディスクプレーヤ内蔵テレビジョンにおいて、樹脂製の電源ボタン識別部材は、フロント筐体の前面側に位置するように設けられた楕円形状の識別面と、識別面の裏面に所定の間隔を隔てて突出するように設けられ、先端にカギ状の爪部を有する一対のフック部と、識別面の裏面の水平方向の中心線から下方に所定の距離ずれた位置から突出するように、電源ボタン識別部材に一体的に設けられ、電源ボタン識別部材の電源ボタンに対する取付方向を規制するためのボス部とを含み、樹脂製の電源ボタンは、電源ボタン識別部材が嵌め込まれるとともに、電源ボタン識別部材の識別面の外周面と実質的に一致する内周面を有する電源ボタン識別部材の電源ボタンに対する取付位置を規制するための凹部と、凹部の底面に設けられ、電源ボタン識別部材の一対のフック部が挿入されるフック部挿入孔と、フック部挿入孔と連続するとともに、電源ボタン識別部材のボス部の横幅よりも大きい横幅を有するように形成され、ボス部が挿入されるボス部挿入孔と、フック部挿入孔の内面の所定の位置から奥側に向かって延びるように電源ボタンの裏面に一体的に設けられ、一対のフック部の爪部と係合する一対のリブ状の係合部とを含んでいる。
【００１０】
この第１の局面によるディスクプレーヤ内蔵テレビジョンでは、上記のように、電源ボタン識別部材の電源ボタンに対する上下の取付方向を規制するためのボス部を樹脂製の電源ボタン識別部材に一体的に設けるとともに、そのボス部を挿入するボス部挿入孔を樹脂製の電源ボタンに設けることによって、部品点数を増加させることなく、電源ボタン識別部材が上下方向逆に電源ボタンに装着されるのを防止することができる。また、電源ボタンのボス部挿入孔を、電源ボタン識別部材のボス部の横幅よりも大きい横幅を有するように構成することによって、電源ボタン識別部材のボス部の横幅とボス部挿入孔の横幅とが同じである場合に比べて、電源ボタンのボス部挿入孔に電源ボタン識別部材のボス部を挿入しやすくすることができる。なお、ボス部とボス部挿入孔との嵌合隙間が少々大きかったとしても、電源ボタンに対する電源ボタン識別部材の上下の取付方向を規制することは可能であるので、電源ボタンのボス部挿入孔の横幅を電源ボタン識別部材のボス部の横幅よりも大きくして嵌合隙間ができたとしても問題にならない。また、電源ボタン識別部材の識別面の裏面に所定の間隔を隔てて突出するように、先端にカギ状の爪部を有する一対のフック部を設けるとともに、電源ボタンに、電源ボタン識別部材の一対のフック部が挿入されるフック部挿入孔と、フック部挿入孔の内面の所定の位置から奥側に向かって延びる一対のフック部の爪部と係合する一対のリブ状の係合部とを一体的に設けることによって、電源ボタン識別部材を電源ボタンに確実に固定することができる。また、一対のフック部の爪部と、一対のリブ状の係合部との係合状態を解除することによって、電源ボタン識別部材を電源ボタンから取り外すことができる。また、電源ボタンに、電源ボタン識別部材が嵌め込まれ、電源ボタン識別部材の電源ボタンに対する取付位置を規制するための凹部を設けるとともに、その電源ボタンの凹部を、電源ボタン識別部材の識別面の外周面と実質的に一致する内周面を有するように構成することによって、電源ボタン識別部材を電源ボタンの凹部に嵌め込んだ際に、電源ボタンの凹部と電源ボタン識別部材との間に余分な間隙が生じることがない。これによって、電源ボタンに対する電源ボタン識別部材の位置決めを行うことができるので、電源ボタン識別部材を電源ボタンに正確な位置で取り
付けることができる。また、電源ボタンのフック部挿入孔の内面の所定の位置から奥側に向かって延びるように電源ボタンの裏面に一体的に、一対のフック部の爪部と係合する一対のリブ状の係合部を設けることによって、厚みの小さいリブ状の係合部により、厚みの大きい係合部を設ける場合に比べて、樹脂製の成形品を冷却した時に生じるくぼみを電源ボタンの凹部周辺に発生しにくくすることができる。また、係合部をリブ形状にすることにより、係合部が電源ボタンの裏面の補強部材としても機能するので、電源ボタンの機械的強度を向上させることができる。
【００１１】
この考案の第２の局面による電子機器は、機器の前面を覆うフロント筐体と、フロント筐体に一体的に設けられ、機器の操作を行うための操作ボタンと、操作ボタンの所定の位置に取り付けられ、操作ボタンと他のボタンとを識別するための操作ボタン識別部材とを備え、操作ボタン識別部材は、フロント筐体の前面側に位置するように設けられた識別面と、識別面の裏面の中心からずれた位置から突出するように、操作ボタン識別部材に一体的に設けられ、操作ボタン識別部材の操作ボタンに対する取付方向を規制するためのボス部とを含み、操作ボタンは、操作ボタン識別部材のボス部が挿入されるボス部挿入孔を含んでいる。
【００１２】
この第２の局面による電子機器では、上記のように、操作ボタン識別部材の操作ボタンに対する取付方向を規制するためのボス部を操作ボタン識別部材に一体的に設けるとともに、そのボス部を挿入するボス部挿入孔を操作ボタンに設けることによって、部品点数を増加させることなく、操作ボタン識別部材が上下方向逆に操作ボタンに装着されるのを防止することができる。
【００１３】
上記第２の局面による電子機器において、好ましくは、ボス部挿入孔は、操作ボタン識別部材のボス部の横幅よりも大きい横幅を有するように形成されている。このように構成すれば、操作ボタン識別部材のボス部の横幅とボス部挿入孔の横幅とが同じである場合に比べて、操作ボタンのボス部挿入孔に操作ボタン識別部材のボス部を挿入しやすくすることができる。なお、ボス部とボス部挿入孔との嵌合隙間が少々大きかったとしても、操作ボタンに対する操作ボタン識別部材の取付方向を規制することは可能であるので、操作ボタンのボス部挿入孔の横幅を操作ボタン識別部材のボス部の横幅よりも大きくして嵌合隙間ができたとしても問題にならない。
【００１４】
上記第２の局面による電子機器において、好ましくは、操作ボタン識別部材は、識別面の裏面に所定の間隔を隔てて突出するように設けられ、先端にカギ状の爪部を有する一対のフック部をさらに含み、操作ボタンは、操作ボタン識別部材の一対のフック部が挿入されるフック部挿入孔と、フック部挿入孔の内面の所定の位置から奥側に向かって延びるように操作ボタンの裏面に一体的に設けられ、一対のフック部の爪部と係合する一対のフック係合部とをさらに含む。このように構成すれば、フック部の爪部をフック係合部に係合させることにより、操作ボタン識別部材を操作ボタンに確実に固定することができる。また、一対のフック部の爪部と、一対のフック係合部との係合状態を解除することによって、操作ボタン識別部材を操作ボタンから取り外すことができる。
【００１５】
上記第２の局面による電子機器において、好ましくは、一対のフック係合部は、一対のリブ状の係合部を含む。このように構成すれば、特に、操作ボタンが樹脂製の場合、操作ボタンの裏面に一体的に設けられた一対のフック係合部も樹脂製であるので、厚みの小さいリブ状の係合部により、厚みの大きい係合部を設ける場合に比べて、樹脂製の成形品を冷却した時に生じるくぼみを操作ボタンの前面側に発生しにくくすることができる。また、係合部をリブ形状にすることにより、係合部が操作ボタンの裏面の補強部材としても機能するので、操作ボタンの機械的強度を向上させることができる。
【００１６】
上記第２の局面による電子機器において、好ましくは、操作ボタンは、操作ボタン識別部材が嵌め込まれ、操作ボタン識別部材の操作ボタンに対する取付位置を規制するための凹部をさらに含む。このように構成すれば、操作ボタン識別部材を操作ボタンの凹部に嵌め込んだ際に、操作ボタンの凹部と操作ボタン識別部材との間に余分な間隙が生じることがない。これによって、操作ボタンに対する操作ボタン識別部材の位置決めを行うことができるので、操作ボタン識別部材を操作ボタンに正確な位置で取り付けることができる。
【考案を実施するための最良の形態】
【００１７】
以下、本考案の実施の形態を図面に基づいて説明する。
【００１８】
図１は、考案の一実施形態によるディスクプレーヤ内蔵テレビジョンを示した図である。図２〜図６は、図１に示した本考案の一実施形態によるディスクプレーヤ内蔵テレビジョンの電源ボタンの構造を示した図である。図７〜図９は、本考案の一実施形態によるディスクプレーヤ内蔵テレビジョンの電源ボタン識別部材の構造を示した図である。図１〜図９を参照して、本考案の一実施形態によるディスクプレーヤ内蔵テレビジョン１の構造について説明する。
【００１９】
本考案の一実施形態によるディスクプレーヤ内蔵テレビジョン１は、図１に示すように、表示部１０と、ＤＶＤプレーヤ２０と、ビデオデッキ３０と、樹脂製のフロント筐体４０と、フロント筐体４０に一体的に設けられた樹脂製の電源ボタン５０と、樹脂製の電源ボタン識別部材６０とを備えている。また、ディスクプレーヤ内蔵テレビジョン１の内部には、図４に示すように、プリント基板７０が設置されている。なお、ＤＶＤプレーヤ２０は、本考案の「ディスクプレーヤ」の一例である。また、電源ボタン５０は、本考案の「操作ボタン」の一例であり、電源ボタン識別部材６０は、本考案の「操作ボタン識別部材」の一例である。電源ボタン識別部材６０には、電源ボタン５０と他のボタンとを識別するための着色が施されている。また、電源ボタン５０の右側には、ディスクプレーヤ内蔵テレビジョン１の操作を行うための複数のボタン８０と、ディスクプレーヤ内蔵テレビジョン１と他の機器（図示せず）との接続を行う際に使用するケーブル端子（図示せず）を差し込む端子差込口９０とが設けられている。なお、ボタン８０としては、ビデオ−ＤＶＤ切換ボタン８０ａやビデオの録画ボタン８０ｂなどがある。
【００２０】
電源ボタン５０は、図４に示すように、ヒンジ部５５とタクトスイッチ当接部５６とを含んでいる。また、プリント基板７０は、プリント基板７０の上面にタクトスイッチ７１を含んでいる。ヒンジ部５５は、電源ボタン５０の前面下方に設けられている。このヒンジ部５５は、電源のオンオフ操作時に、フロント筐体４０に一体的に設けられた樹脂製の電源ボタン５０の前面を押圧した際に、電源ボタン５０を奥に向かって撓みやすくするために設けられている。タクトスイッチ当接部５６は、電源ボタン５０の裏面から奥に向かって延びるように設けられている。このタクトスイッチ当接部５６とタクトスイッチ７１とは、電源のオンオフ操作の際に、タクトスイッチ当接部５６の裏面とタクトスイッチ７１とが接触することが可能な位置に配置されている。
【００２１】
ここで、本実施形態では、電源ボタン５０は、図２〜図６に示すように、凹部５１と、フック部挿入孔５２と、ボス部挿入孔５３と、一対のリブ状の係合部５４とを含む。また、電源ボタン識別部材６０は、図７〜図９に示すように、楕円形状の識別面６１と、先端に爪部６２ａを有する一対のフック部６２と、円柱状のボス部６３とを含んでいる。凹部５１は、図２に示すように、電源ボタン５０の前面に設けられるとともに、電源ボタン識別部材６０の楕円形状の識別面６１の外周面と実質的に一致する内周面を有するように形成されている。この凹部５１は、電源ボタン識別部材６０が嵌め込まれ、電源ボタン識別部材６０の電源ボタン５０に対する取付位置を規制するために設けられている。フック部挿入孔５２は、図６に示すように、凹部５１の底面に矩形状に設けられている。ボス部挿
入孔５３は、図３および図６に示すように、フック部挿入孔５２と連続するように凹部５１の底面に設けられるとともに、円柱状のボス部６３の横幅より大きい横幅を有するように形成されている。一対のリブ状の係合部５４は、図４および図５に示すように、フック部挿入孔５２の内面から奥側に向かって互いの間隔が常に一定になるように平行に延びるとともに、一対のフック部６２の爪部６２ａと係合するように、電源ボタン５０の裏面に一体的に設けられている。
【００２２】
また、本実施形態では、一対のフック部６２は、図８および図９に示すように、識別面６１の裏面に所定の間隔を隔てて突出するように設けられている。円柱状のボス部６３は、図７および図９に示すように、識別面６１の裏面の水平方向の中心線から下方に所定の距離ずれた位置に、電源ボタン識別部材６０に一体的に設けられている。このボス部６３は、電源ボタン識別部材６０の電源ボタン５０に対する上下の取付方向を規制するために設けられている。
【００２３】
次に、図５、図９および図１０を参照して、電源ボタン５０に対する電源ボタン識別部材６０の取り付け方法および取り外し方法について説明する。まず、電源ボタン識別部材６０を取り付ける際には、図９に示すように、電源ボタン識別部材６０のボス部６３が水平方向の中心線より下方に位置する状態にする。この状態で、電源ボタン識別部材６０を図１０の矢印Ｃの方向に移動させると、フック部６２の先端の爪部６２ａの外側斜面がフック部挿入孔５２の入り口に接触する。この状態で、電源ボタン識別部材６０に図１０の矢印Ｃ方向の力を加えると、一対のフック部６２は、互いの間隔を狭める方向に撓むとともに、フック部挿入孔５２およびリブ状の係合部５４に沿って奥側に移動してゆき、フック部６２の爪部６２ａとリブ状の係合部５４とが係合する。このとき、同時に、電源ボタン識別部材６０の楕円形状の識別面６１の側面部が電源ボタン５０の前面の凹部５１に嵌まり込むことにより、電源ボタン５０に対する電源ボタン識別部材６０の取り付け位置が規制される。これにより、図５に示す状態になる。
【００２４】
また、電源ボタン識別部材６０を取り外す際には、図５に示す状態において、電源ボタン５０の裏面から、電源ボタン識別部材６０の一対のフック部６２の先端を、互いの間隔を狭める方向に撓めるとともに、電源ボタン５０の前面に向かって押し出す。これにより、フック部６２の爪部６２ａとリブ状の係合部５４との係合状態が解除されるとともに、一対のフック部６２がリブ状の係合部５４に沿って移動される。その結果、電源ボタン識別部材６０が電源ボタン５０から取り外される。
【００２５】
次に、図４を参照して、電源ボタン５０による電源のオンオフ操作について説明する。電源のオンオフ操作の際には、ユーザは、電源ボタン５０の前面を指などを用いて図４の矢印Ａ方向に押圧する。これにより、電源ボタン５０は、ヒンジ部５５を支点にして奥側に撓むとともに、電源ボタン５０の裏面に設けられたタクトスイッチ当接部５６は、図４の矢印Ｂ方向に移動する。このため、タクトスイッチ当接部５６は、プリント基板７０上のタクトスイッチ７１に接触するとともに、タクトスイッチ７１を上方向から押圧する。これによって、タクトスイッチ７１からパルス信号が発せられる。そして、そのパルス信号がマイコン（図示せず）により検知されたことに基づいて、電源のオンオフ制御が行われる。
【００２６】
本実施形態では、上記のように、電源ボタン識別部材６０の電源ボタン５０に対する上下の取付方向を規制するためのボス部６３を樹脂製の電源ボタン識別部材６０に一体的に設けるとともに、そのボス部６３を挿入するボス部挿入孔５３を樹脂製の電源ボタン５０に設けることによって、部品点数を増加させることなく、電源ボタン識別部材６０が上下方向逆に電源ボタン５０に装着されるのを防止することができる。
【００２７】
また、本実施形態では、電源ボタン５０のボス部挿入孔５３を、電源ボタン識別部材６０のボス部６３の横幅よりも大きい横幅を有するように構成することによって、電源ボタン識別部材６０のボス部６３の横幅とボス部挿入孔５３の横幅とが同じである場合に比べて、電源ボタン５０のボス部挿入孔５３に電源ボタン識別部材６０のボス部６３を挿入しやすくすることができる。なお、ボス部６３とボス部挿入孔５３との嵌合隙間が少々大きかったとしても、電源ボタン５０に対する電源ボタン識別部材６０の上下の取付方向を規制することは可能であるので、電源ボタン５０のボス部挿入孔５３の横幅を電源ボタン識別部材６０のボス部６３の横幅よりも大きくして嵌合隙間ができたとしても問題にならない。
【００２８】
また、本実施形態では、電源ボタン識別部材６０の識別面６１の裏面に所定の間隔を隔てて突出するように、先端にカギ状の爪部６２ａを有する一対のフック部６２を設けるとともに、電源ボタン５０に、電源ボタン識別部材６０の一対のフック部６２が挿入されるフック部挿入孔５２と、フック部挿入孔５２の内面の所定の位置から奥側に向かって延びる一対のフック部６２の爪部６２ａと係合する一対のリブ状の係合部５４とを一体的に設けることによって、電源ボタン識別部材６０を電源ボタン５０に確実に固定することができる。また、一対のフック部６２の爪部６２ａと、一対のリブ状の係合部５４との係合状態を解除することによって、電源ボタン識別部材６０を電源ボタン５０から取り外すことができる。
【００２９】
また、本実施形態では、電源ボタン５０に、電源ボタン識別部材６０が嵌め込まれ、電源ボタン識別部材６０の電源ボタン５０に対する取付位置を規制するための凹部５１を設けるとともに、その電源ボタン５０の凹部５１を、電源ボタン識別部材６０の識別面６１の外周面と実質的に一致する内周面を有するように構成することによって、電源ボタン識別部材６０を電源ボタン５０の凹部５１に嵌め込んだ際に、電源ボタン５０の凹部５１と電源ボタン識別部材６０との間に余分な間隙が生じることがない。これによって、電源ボタン５０に対する電源ボタン識別部材６０の位置決めを行うことができるので、電源ボタン識別部材６０を電源ボタン５０に正確な位置で取り付けることができる。
【００３０】
また、本実施形態では、電源ボタン５０のフック部挿入孔５２の内面の所定の位置から奥側に向かって延びるように電源ボタン５０の裏面に一体的に、一対のフック部６２の爪部６２ａと係合する一対のリブ状の係合部５４を設けることによって、厚みの小さいリブ状の係合部５４により、厚みの大きい係合部を設ける場合に比べて、樹脂製の成形品を冷却した時に生じるくぼみを電源ボタン５０の凹部５１周辺に発生しにくくすることができる。また、係合部５４をリブ形状にすることにより、係合部５４が電源ボタン５０の裏面の補強部材としても機能するので、電源ボタン５０の機械的強度を向上させることができる。
【００３１】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内のすべての変更が含まれる。
【００３２】
たとえば、上記実施形態では、本考案を電子機器の一例としてのディスクプレーヤ内蔵テレビジョンについて適用した例を示したが、本考案はこれに限らず、ディスクプレーヤ内蔵テレビジョン以外の通常のテレビジョンやディスクプレーヤなどの電子機器にも適用可能である。
【００３３】
また、上記実施形態では、電源ボタンと他のボタンとを識別するための電源ボタン識別部材を電源ボタンに取り付ける場合の構造について本考案を適用した例を示したが、本考
案はこれに限らず、電源ボタン以外の操作ボタン（録音ボタンやビデオ−ＤＶＤ切換ボタン）と他のボタンとを識別するための操作ボタン識別部材を操作ボタンに取り付ける場合の構造にも適用可能である。
【００３４】
また、上記実施形態では、一対のリブ状の係合部５４を、互いの間隔が常に一定になるように電源ボタンの裏面から奥に向かって延びるように設けたが、本考案はこれに限らず、図１１に示すように、互いの間隔（図１１の矢印Ｄ参照）が奥に行くに従って狭くなるように一対のリブ状の係合部５４ａを設けてもよい。このように構成すれば、フック部の爪部とリブ状の係合部５４ａとをより確実に係合させることができる。
【００３５】
また、上記実施形態では、電源ボタン識別部材の識別面を楕円形状に形成したが、本考案はこれに限らず、識別面の外周面の形状を四角形状や三角形状などの形状に形成してもよい。この場合、識別面の外周面の形状と一致するように凹部の内周面の形状も変更するのが好ましい。
【図面の簡単な説明】
【００３６】
【図１】本考案の一実施形態によるディスクプレーヤ内蔵テレビジョンを示した図である。
【図２】図１に示した本考案の一実施形態によるディスクプレーヤ内蔵テレビジョンの電源ボタンを示した拡大図である。
【図３】図２に示した本考案の一実施形態によるディスクプレーヤ内蔵テレビジョンの電源ボタンを裏面から見た状態を示した図である。
【図４】図２中の１００−１００線に沿った断面図である。
【図５】図２中の２００−２００線に沿った断面図である。
【図６】図２に示した本考案の一実施形態によるディスクプレーヤ内蔵テレビジョンの電源ボタンから電源ボタン識別部材を取り外した状態を示した図である。
【図７】本考案の一実施形態によるディスクプレーヤ内蔵テレビジョンの電源ボタン識別部材を示した側面図である。
【図８】本考案の一実施形態によるディスクプレーヤ内蔵テレビジョンの電源ボタン識別部材を示した上面図である。
【図９】本考案の一実施形態によるディスクプレーヤ内蔵テレビジョンの電源ボタン識別部材を示した裏面図である。
【図１０】図５に示した本考案の一実施形態によるディスクプレーヤ内蔵テレビジョンにおける電源ボタンに電源ボタン識別部材を嵌め込む前の状態を示した断面図である。
【図１１】本考案の一実施形態によるディスクプレーヤ内蔵テレビジョンの電源ボタンにおけるリブ状の係合部の変形例を示した図である。
【符号の説明】
【００３７】
１  ディスクプレーヤ内蔵テレビジョン
４０  フロント筐体
５０  電源ボタン（操作ボタン）
５１  凹部
５２  フック部挿入孔
５３  ボス部挿入孔
５４、５４ａ  リブ状の係合部
６０  電源ボタン識別部材（操作ボタン識別部材）
６１  識別面
６２  フック部
６３  ボス部
６２ａ  爪部
【図１】
0003104909.tif 000003
【図２】
0003104909.tif 000004
【図３】
0003104909.tif 000005
【図４】
0003104909.tif 000006
【図５】
0003104909.tif 000007
【図６】
0003104909.tif 000008
【図７】
0003104909.tif 000009
【図８】
0003104909.tif 000010
【図９】
0003104909.tif 000011
【図１０】
0003104909.tif 000012
【図１１】
0003104909.tif 000013